(57)【要約】【課題】汚泥返流水を処理する過程で発生する汚泥量を極力少なくし、かつ汚泥返流水そのものを有効に活用することができる汚泥返流水の処理方法を提供すること。【解決手段】下水処理の過程で発生する最初沈殿池汚泥、最終沈殿池汚泥、又は好気性・嫌気性消化によって得られる消化汚泥等の汚泥を処理する汚泥処理系において、汚泥を濃縮・脱水処理することによって生じる汚泥返流水を処理するもので、汚泥返流水中の有機物を微生物燃料電池の燃料源とすることにより除去する。【選択図】図２
2006081963.tif 000002
【特許請求の範囲】
【請求項１】
下水処理の過程で発生する最初沈殿池汚泥、最終沈殿池汚泥、又は好気性・嫌気性消化によって得られる消化汚泥等の汚泥を処理する汚泥処理系の中で、汚泥を濃縮・脱水処理することによって生じる汚泥返流水の処理方法において、汚泥返流水中の有機物を微生物燃料電池の燃料源とすることにより除去することを特徴とする汚泥返流水の処理方法。
【請求項２】
微生物燃料電池の正極側に、酸素ガス又は空気中に含まれる酸素と硝化菌とを導入することを特徴とする請求項１記載の汚泥返流水の処理方法。
【請求項３】
嫌気状態に保たれた微生物燃料電池の負極側に脱窒菌を導入し、硝酸イオンを含む溶液を該負極側に循環させることを特徴とする請求項２記載の汚泥返流水の処理方法。
【請求項４】
微生物燃料電池の前段に、汚泥返流水中の固形物を除去又は液化させる前処理機構を設けることを特徴とする請求項１、２又は３記載の汚泥返流水の処理方法。
【請求項５】
微生物燃料電池の後段で汚泥返流水に凝集剤を添加し、汚泥返流水中に含まれるリンを凝集汚泥として除去することを特徴とする請求項１、２、３又は４記載の汚泥返流水の処理方法。
【請求項６】
硝化に関与する硝化菌を微生物燃料電池の正極に、脱窒に関与する脱窒菌を該微生物燃料電池の負極に保持することを特徴とする請求項１、２、３、４又は５記載の汚泥返流水の処理方法。
【請求項７】
下水処理の過程で発生する最初沈殿池汚泥、最終沈殿池汚泥、又は好気性・嫌気性消化によって得られる消化汚泥等の汚泥を処理する汚泥処理系の中で、汚泥を濃縮・脱水処理することによって生じる汚泥返流水の処理装置において、汚泥返流水が流入し、該汚泥返流水の有機物を燃料源とする微生物燃料電池を設けたことを特徴とする汚泥返流水の処理装置。
【請求項８】
微生物燃料電池の正極側に、酸素ガス又は空気中に含まれる酸素と硝化菌とを導入するようにしたことを特徴とする請求項７記載の汚泥返流水の処理装置。
【請求項９】
嫌気状態に保たれた微生物燃料電池の負極側に脱窒菌を導入し、硝酸イオンを含む溶液を該負極側に循環させるようにしたことを特徴とする請求項８記載の汚泥返流水の処理装置。
【請求項１０】
微生物燃料電池の前段に、汚泥返流水中の固形物を除去又は液化させる前処理機構を設けたことを特徴とする請求項７、８又は９記載の汚泥返流水の処理装置。
【請求項１１】
微生物燃料電池の後段で汚泥返流水に凝集剤を添加し、汚泥返流水中に含まれるリンを凝集汚泥として除去することを特徴とする請求項７、８、９又は１０記載の汚泥返流水の処理装置。
【請求項１２】
硝化に関与する硝化菌を微生物燃料電池の正極に、脱窒に関与する脱窒菌を該微生物燃料電池の負極に保持せしめたことを特徴とする請求項７、８、９、１０又は１１記載の汚泥返流水の処理装置。
【発明の詳細な説明】
【技術分野】
【０００１】
本発明は、下水処理場において発生する最初沈殿池汚泥、最終沈殿池汚泥あるいはこれらを好気的あるいは嫌気的に消化することで得られる消化汚泥等に対し、濃縮処理あるいは脱水処理することによって生じる汚泥返流水の処理方法及び処理装置に関するものである。
【背景技術】
【０００２】
下水処理場では、流入した下水中の固形物及び有機物の除去を主要な目的とした処理・運転を行っている。
すなわち、流入下水中の來雑物を取り除くために最初沈殿池が設けられ、有機物を除去するために生物反応槽では活性汚泥微生物による吸着・分解がなされ、最終沈殿池では活性汚泥微生物と上澄水を分離することで、良好な処理水を得ることができる。
また、一部の処理場では、最初沈殿池及び最終沈殿池から取り除かれた汚泥を好気性あるいは嫌気性消化することで、汚泥の安定化を図ることがあるが、この際にも処理された汚泥として消化汚泥が得られる。
【０００３】
これら最初沈殿池汚泥、最終沈殿池汚泥及び消化汚泥は、後段の汚泥処理系において適切に処理・処分される必要があり、その処理過程のひとつとして濃縮処理及び脱水処理がある。
これらの過程は、後段の処理を効率よく行うための前処理として位置付けられ、汚泥中の水分と固形分を分離することが主目的であり、汚泥容積の減容が図られる。
このとき得られる水分は、一般的に返流水と呼ばれ、水処理系に戻され再び生物処理を受ける。
なお、本明細書においては、これら汚泥処理系において発生した返流水のことを単に汚泥返流水と表す。
【０００４】
ところで、汚泥返流水中には高濃度の有機物やアンモニア、リンなどが含まれ、水処理系へ悪影響を及ぼすおそれがある。
すなわち、水処理系では通常、好気性微生物を用いて流入下水中の有機物等を生物処理しており、空気を強制的に導入する必要があるが、これら汚泥返流水中の有機物やアンモニアを同時に処理するためには、さらに多くの空気を導入する必要がある。ところが、設備の能力が不十分であると十分な処理ができずに系外に流出し、処理水を受け入れる水域を汚染する問題などがある。
【０００５】
そこで、この問題に対応するため、汚泥処理系からの汚泥返流水を水処理系に戻す前に処理を行うことがあり、その一例として、汚泥返流水に凝集剤を添加したり、汚泥返流水と汚泥を混合させた上で凝集剤を添加する方法（特許文献１参照）や、汚泥返流水にオゾンと凝集剤を添加する方法（特許文献２参照）、担体を添加した活性汚泥法と凝集剤の添加を併用した処理方法（特許文献３参照）などがある。
【０００６】
一方、近年はバイオマスの利活用の一環として、有機性廃棄物の有効利用を促進する動きが見られ、下水処理場においても下水汚泥の有効利用が図られている。汚泥返流水についても、下水汚泥そのものに比べると少ないながらも有機物を多く含んでおり、かつ少なからぬ量を継続的に排出されるため、安定したバイオマス源とみなすこともできる。
【０００７】
前述の汚泥返流水の処理方法では、問題となっている有機物やアンモニア、リンなどを除去することができるが、汚泥返流水そのものに凝集剤を添加した場合、汚泥返流水中の有機物なども同時に凝集沈殿するため、多量の汚泥を発生させることになり、汚泥を処理するための汚泥処理系において多量の汚泥を発生させるという矛盾が生じることになる。
また、オゾンによる処理ではその強力な酸化力で有機物の分解や、アンモニアを酸化させることができるが、オゾンの発生装置や排オゾンの処理装置が必要になるなど、設備が複雑化し、かつ運転コストが高くなるのが問題と言える。
また、これらの方法では、汚泥返流水はあくまで廃棄物として取り扱われ、有用物の回収やエネルギー利用などの有効利用が図られることはない。
【特許文献１】特開平０７−２５６２９５号公報
【特許文献２】特開平０５−２６９４７８号公報
【特許文献３】特開２００４−０２５０５５号公報
【発明の開示】
【発明が解決しようとする課題】
【０００８】
本発明は、上記従来の汚泥返流水の処理方法が有する問題点に鑑み、汚泥返流水を処理する過程で発生する汚泥量を極力少なくし、かつ汚泥返流水そのものを有効に活用することができる汚泥返流水の処理方法及び処理装置を提案することを目的とする。
【課題を解決するための手段】
【０００９】
上記目的を達成するため、本発明の汚泥返流水の処理方法は、下水処理の過程で発生する最初沈殿池汚泥、最終沈殿池汚泥、又は好気性・嫌気性消化によって得られる消化汚泥等の汚泥を処理する汚泥処理系の中で、汚泥を濃縮・脱水処理することによって生じる汚泥返流水の処理方法において、汚泥返流水中の有機物を微生物燃料電池の燃料源とすることにより除去することを特徴とする。
【００１０】
この場合において、微生物燃料電池の正極側に、酸素ガス又は空気中に含まれる酸素と硝化菌とを導入することができる。
【００１１】
また、嫌気状態に保たれた微生物燃料電池の負極側に脱窒菌を導入し、硝酸イオンを含む溶液を該負極側に循環させることができる。
【００１２】
また、微生物燃料電池の前段に、汚泥返流水中の固形物を除去又は液化させる前処理機構を設けることができる。
【００１３】
また、微生物燃料電池の後段で汚泥返流水に凝集剤を添加し、汚泥返流水中に含まれるリンを凝集汚泥として除去することができる。
【００１４】
また、硝化に関与する硝化菌を微生物燃料電池の正極に、脱窒に関与する脱窒菌を該微生物燃料電池の負極に保持することができる。
【００１５】
一方、同じ目的を達成するため、本発明の汚泥返流水の処理装置は、下水処理の過程で発生する最初沈殿池汚泥、最終沈殿池汚泥、又は好気性・嫌気性消化によって得られる消化汚泥等の汚泥を処理する汚泥処理系の中で、汚泥を濃縮・脱水処理することによって生じる汚泥返流水の処理装置において、汚泥返流水が流入し、該汚泥返流水の有機物を燃料源とする微生物燃料電池を設けたことを特徴とする。
【００１６】
この場合において、微生物燃料電池の正極側に、酸素ガス又は空気中に含まれる酸素と硝化菌とを導入することができる。
【００１７】
また、嫌気状態に保たれた微生物燃料電池の負極側に脱窒菌を導入し、硝酸イオンを含む溶液を該負極側に循環させることができる。
嫌気状態に保たれた微生物燃料電池の負極側に脱窒菌を保持し、アンモニアイオンが硝酸イオンに酸化した溶液を該負極側に循環させて、脱窒菌により窒素ガスヘと還元して除去することができる。
【００１８】
また、微生物燃料電池の前段に、汚泥返流水中の固形物を除去又は液化させる前処理機構を設けることができる。
【００１９】
また、微生物燃料電池の後段で汚泥返流水に凝集剤を添加し、汚泥返流水中に含まれるリンを凝集汚泥として除去することができる。
【００２０】
また、硝化に関与する硝化菌を微生物燃料電池の正極に、脱窒に関与する脱窒菌を該微生物燃料電池の負極に保持させることができる。
【発明の効果】
【００２１】
本発明の汚泥返流水の処理方法及び処理装置によれば、下水処理の過程で発生する最初沈殿池汚泥、最終沈殿池汚泥、又は好気性・嫌気性消化によって得られる消化汚泥等の汚泥を処理する汚泥処理系の中で、汚泥を濃縮・脱水処理することによって生じる汚泥返流水の処理方法において、汚泥返流水中の有機物を微生物燃料電池の燃料源とすることにより除去することから、従来の処理方法で問題となりがちであった、汚泥処理系での多量の汚泥発生を伴うことなく、汚泥返流水を処理することができる。
特に、汚泥返流水中の有機物とアンモニアの除去に関して良好な処理が可能であり、また、汚泥返流水からの電気エネルギーの回収が可能であり、いわゆる有機性廃棄物の利活用を図ることができる。
【００２２】
この場合、微生物燃料電池の正極側に、酸素ガス又は空気中に含まれる酸素と硝化菌とを導入することにより、汚泥返流水に含まれるアンモニアイオンを硝酸イオンに酸化することができる。
【００２３】
また、嫌気状態に保たれた微生物燃料電池の負極側に脱窒菌を導入し、硝酸イオンを含む溶液を該負極側に循環させることにより、アンモニアイオンが硝酸イオンに酸化した溶液を脱窒菌によって窒素ガスヘと還元し除去することができる。
【００２４】
また、微生物燃料電池の前段に、汚泥返流水中の固形物を除去又は液化させる前処理機構を設けることにより、固液物の量を減らしたり、又は汚泥返流水中の有機物濃度を上げて微生物燃料電池へ投入する燃料を増加させたりすることができる。
【００２５】
また、微生物燃料電池の後段で汚泥返流水に凝集剤を添加し、汚泥返流水中に含まれるリンを凝集汚泥として除去することにより、有機物が除去された状態でリンを回収することができる。
【００２６】
また、硝化に関与する硝化菌を微生物燃料電池の正極に、脱窒に関与する脱窒菌を該微生物燃料電池の負極に保持することにより、硝化菌と脱窒菌とを効率的に微生物燃料電池に投入することができる。
【発明を実施するための最良の形態】
【００２７】
以下、本発明の汚泥返流水の処理方法及び処理装置の実施の形態を、図面に基づいて説明する。
【００２８】
図１〜図４に、本発明の汚泥返流水の処理方法及び処理装置の一実施例を示す。
この汚泥返流水の処理方法は、下水処理の過程で発生する最初沈殿池汚泥、最終沈殿池汚泥、又は好気性・嫌気性消化によって得られる消化汚泥等の汚泥を処理する汚泥処理系において、汚泥を濃縮・脱水処理することによって生じる汚泥返流水を処理するもので、汚泥返流水中の有機物を微生物燃料電池の燃料源とすることにより除去するようにしている。
【００２９】
微生物燃料電池とは、有機物を燃料源とし、微生物を生体触媒として利用した燃料電池のことであり、その概念図を図１に示す。
微生物燃料電池は、負極１が設けられた負極室２と、正極３が設置された正極室４からなり、これら両室はプロトン透過膜５で隔てられるとともに、負極１と正極３は外部回路６によって接続されている。負極室２は、分子状酸素が存在しない嫌気性条件に保たれており、嫌気性微生物７が保持されている。
【００３０】
負極室２に投入された有機物８は、嫌気性微生物７によって代謝されるが、その過程で電子１０を生成するとともに、代謝産物として水素イオン９を放出する。
一方、嫌気性微生物７による代謝機構では、細胞内あるいは最終電子受容体との間で電子１０の授受が行われるが、負極１に鉄（III）イオンやマンガン（IV）イオンなどを保持させておくと、これらが最終電子受容体として作用し、負極１に電子を受け渡すことが可能となる。
【００３１】
負極１に取り込まれた電子１０は、外部回路６を経て正極３へと移動する。また、正極室４には、分子状酸素１１が導入されており、白金などを保持した正極３上で電子１０及びプロトン透過膜５を通過した水素イオン９と結合することによって水分子１２へと変化する。
なお、プロトン透過膜５に関しては、これを利用することにより、水素イオン９を選択的に負極室２から正極室４に透過させることで良好な反応が進行するが、陽イオン交換膜にて代用したり、あるいは透過膜そのものを設置しなくとも反応を進行させることは可能である。
これら一連の反応によって、負極１及び正極３の間で電子１０の移動が行われ、電気エネルギーが発生することになる。
【００３２】
このように、微生物燃料電池は有機物を燃料源として電気エネルギーを作り出す装置であるが、同時に有機物を含む廃水を処理することができる装置とも捉えられる。
すなわち、廃水中の有機物は嫌気性微生物の代謝、すなわち微生物の増殖によって分解・除去される。
しかし、嫌気性条件下であるため、有機物から微生物の新しい細胞への変換効率は、水処理系などの好気条件下よりもはるかに低く、微生物の増殖、すなわち汚泥の発生量を低く押さえることができる利点がある。
さらに、微生物燃料電池では、微生物から電子を獲得するが、最終電子受容体として電子を獲得する他に、代謝過程の途中から電子を獲得する方法もあり、この場合は、微生物の新たな増殖を阻害する働きもあるため、さらに汚泥の発生量を減らすことができる。
【００３３】
また、図１における正極室４では、電子１０を受け取るために分子状酸素１１を導入しているが、この酸素と硝化菌を利用して汚泥返流水中に含まれるアンモニアを硝酸イオンに酸化させることも可能である。
さらに、その後段に脱窒菌を保持した槽を設けることにより、硝酸イオンを窒素ガスヘと還元し、汚泥返流水中からの窒素除去が可能となる。
【００３４】
リンに関しては、微生物燃料電池を利用した処理装置を経ることによって多少は減少するが、そのほとんどは処理できないため、従来のように凝集剤等を添加することで除去しなければならない。
ただし、従来と異なり、有機物などが除去されているため、必要以上の凝集汚泥が発生することはなく、従来のように汚泥返流水そのものに凝集剤を添加した場合の汚泥発生量と比較して少量となる。
【００３５】
なお、汚泥返流水のうち、特に嫌気性消化汚泥から得られるものには多量の固形物が含まれる場合もあるが、本発明による処理装置の運転を阻害するほどの固形物が含まれる場合には、重力沈降や機械濃縮などによる固液分離を前段に行うが、必要以上に有機物を除去することがないように凝集剤は添加しない。
また、固形物を減らすための別の方法として、可溶化等の物理化学的手法によって、固形物を溶解することができるが、この方法では固液物の量を減らせるばかりでなく、固形物を液化することによる溶液中の有機物濃度の増加、すなわち微生物燃料電池へ投入する燃料の増加が見込まれる。
【実施例１】
【００３６】
図２に、本発明による汚泥返流水の処理装置の一例を示す。
なお、本実施例において対象とした汚泥返流水は嫌気性消化からの返流水を含み、固形物が多く含まれたものとし、これを除去するために固液分離槽を前段に設けている。
汚泥返流水Ａは、重力沈殿池１３において固液分離が図られ、上澄水Ｂと沈殿汚泥Ｃが得られる。
なお、ここで回収された沈殿汚泥Ｃは、水処理系に返流されるが、もともと汚泥返流水Ａに含まれていたものであり、汚泥処理系で新たに発生した汚泥とはならない。
【００３７】
上澄水Ｂは、隔壁１４によって負極室２と正極室４に隔てられた微生物燃料電池に流入するが、まず嫌気条件下に保たれた負極室２に流入する。
ここでは、負極１に保持された微生物によって、上澄水Ｂ中の有機物が分解・除去されるとともに、代謝過程から得られた電子が外部回路６を経て正極３へと導かれる。
なお、本実施例では有機物の分解に携わる微生物を負極１に保持させているが、負極室２内に浮遊させることも可能である。
【００３８】
有機物が除去された上澄水Ｂは、隔壁１４を越流して正極室４に導かれるが、ここでは散気装置１５により空気Ｄが導入される。
導入された空気Ｄに含まれる酸素は、白金などを保持させた正極３上で外部回路６を通過してきた電子や上澄水Ｂ中の水素イオンと反応して水となる。
また、正極室４には硝化菌が保持されており、上澄水Ｂ中のアンモニアイオンが硝酸イオンヘと酸化される。
【００３９】
これら一連の処理を受けた溶液は、一次処理水Ｅとして脱窒槽１６へと流入するが、ここではこの脱窒槽１６内に保持された脱窒菌の働きにより、硝酸イオンが窒素ガスとして系外に放出・除去される。なお、この脱窒の過程では溶液中の有機物が脱窒菌に利用されるため、さらに除去することが可能である。
【００４０】
窒素が除去された溶液は、二次処理水Ｆとして流出するが、当該溶液中にはまだリンが含まれているため、これを除去するために凝集剤Ｇが添加され、凝集沈殿槽１７においてリン除去とともに固液分離が図られる。
これによって得られる上澄水は、最終処理水Ｈとして水処理系に返流されるが、十分に有機物等が除去されているため、水処理系に大きな負荷を与えることはない。
一方、凝集沈殿槽１７では、固形分として凝集汚泥Ｉが生じるが、リン以外の有機物等は前段の負極室２、正極室４及び脱窒槽１６における処理でほとんどが除去されており、リン凝集汚泥以外の必要以上の汚泥が発生するおそれはない。
【実施例２】
【００４１】
図３に、微生物燃料電池の原理を利用した汚泥返流水の処理装置の一例を示す。
汚泥返流水Ａは、嫌気性条件に保たれた負極室２の下端から上向流として導入される。負極室２の上段には、微生物が保持された負極１が設置されており、汚泥返流水Ａ中の有機物を分解・除去するとともに、微生物から負極１への電子の受け渡し、外部回路６を通じての正極３への電子伝達がなされる。
【００４２】
負極室２から越流した溶液は、負極室流出液Ｊとしてその一部が正極室４に導かれるが、それ以外はさらなる処理と負極室２内の上向流流速確保のために循環される。
循環分を除いた負極室流出液Ｊは、正極室４の下端から上向流として導入される。正極室４の底部には、散気装置１５が設けられており、槽内への空気提供がなされるが、空気中の酸素、外部回路６を通過してきた電子及び負極流出液Ｊ中の水素イオンが、正極３上で反応し、水分子が生じる。
また、正極４の上段には硝化菌保持担体１８が設けられており、保持された硝化菌の働きにより負極室流出液Ｊ中のアンモニアイオンを硝酸イオンヘと酸化させる。
【００４３】
正極室４から越流する正極室流出液Ｋは、その一部が処理液Ｌとして系外に排出されるが、それ以外は正極室４へ循環、あるいは負極室２へ返送される。正極室４に循環される分に関しては、さらなる硝化の促進とともに、この正極室４における適切な上向流流速を確保するために利用される。
【００４４】
一方、正極室流出液Ｋのうち負極室２に返送される分に関しては、当該室の下段に設置された脱窒菌保持担体１９に保持された脱窒菌の作用により、当該溶液中の硝酸イオンが窒素ガスヘと還元される。
負極室流出液Ｊは、前述のように流速確保のためにも用いられるが、脱窒に要する時間を確保するためにも必要である。
【実施例３】
【００４５】
実施例２で示した二槽式の汚泥返流水処理装置を一槽式の装置とすることも可能であり、その一例の断面図を図４に示す。
汚泥返流水Ａは、導入管２０を通じて上向流として処理槽２１へ投入される。当該槽の内部には、筒状の内壁２２が設けられており、投入された汚泥返流水Ａは、図４中の破線矢印で示すように、この内壁２２の内側を上向流で流れ、その外側と処理槽２１の間を下降流の循環液Ｍとして流れる。
【００４６】
内壁２２は、前述のように上・下降流を生み出す他に、電極や微生物保持担体及び散気装置を支持する役割も果たす。
すなわち、下端から順番に、脱窒菌保持担体１９、負極１、散気装置１５、正極３及び硝化菌保持担体１８を支持することになる。
なお、本実施例では、脱窒菌保持担体１９及び硝化菌保持担体１８は、内壁２２に固定されるタイプの担体を表しているが、各々流出しないような機構を設けた上で浮遊タイプの担体を使用することも可能である。
【００４７】
汚泥返流水Ａ中の有機物は、負極１上に保持された微生物によって分解・除去されるとともに、この代謝過程において当該電極に受け渡された電子は外部回路６を通じて上段に設けられた正極３へ移動する。
負極１の上段には、散気装置１５が設けられており、空気配管２３を通じて空気Ｄが導入されるが、空気Ｄに含まれる酸素が、負極１において発生した水素イオンと、外部回路６を通じて正極３に送られた電子とともに、正極３上において反応し水を生成する。
さらに、空気Ｄに含まれる酸素は、硝化菌保持担体１８に保持された硝化菌が、汚泥返流水Ａ中のアンモニアイオンを硝酸イオンに酸化するのに利用されるとともに、残存している有機物をさらに好気的に分解するのに利用される。
【００４８】
内壁２２を通過してきた溶液は、一部は越流壁２４を越えて、処理水Ｌとして系外に排出されるが、その他は内壁２２と処理槽２１の間を下降流の循環液Ｍとして流れていく。
この間、当該溶液に含まれる酸素は比重が軽いため上方へ移動し大気に放出されたり、残存している有機物等との反応に消費され、当該溶液中の酸素濃度は徐々に低下し、底部ではほぼゼロ、すなわち嫌気状態になる。
【００４９】
処理槽２１の底部にまで達した循環液Ｍは、導入管２０から流入する汚泥返流水Ａとともに、再び内壁２２の内部を上向流として流れるが、内壁２２の下端には脱窒菌保持担体１９が設けられており、当該担体１９に保持された脱窒菌が、循環液Ｍ中の硝酸イオンと汚泥返流水Ａ中の有機物を利用して脱窒、すなわち硝酸イオンから窒素ガスヘの還元を行い、これによって溶液からの窒素除去が可能となる。
【００５０】
以上、本発明の汚泥返流水の処理方法及び処理装置について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００５１】
本発明の汚泥返流水の処理方法及び処理装置は、汚泥返流水を処理する過程で発生する汚泥量を極力少なくし、かつ汚泥返流水そのものを有効に活用するという特性を有していることから、例えば、下水処理場などで好適に用いることができる。
【図面の簡単な説明】
【００５２】
【図１】微生物燃料電池を示す概念図である。
【図２】本発明の汚泥返流水の処理装置の第１実施例を示すフロー図である。
【図３】本発明の汚泥返流水の二槽式処理装置を示すフロー図である。
【図４】本発明の汚泥返流水の一槽式処理装置を示す断面図である。
【符号の説明】
【００５３】
１    負極
２    負極室
３    正極
４    正極室
５    プロトン透過膜
６    外部回路
７    嫌気性微生物
８    有機物
９    水素イオン
１０  電子
１１  分子状酸素
１２  水分子
１３  重力沈殿池
１４  隔壁
１５  散気装置
１６  脱窒槽
１７  凝集沈殿槽
１８  硝化菌保持担体
１９  脱窒菌保持担体
２０  導入管
２１  処理槽
２２  内壁
２３  空気配管
２４  越流壁
Ａ    汚泥返流水
Ｂ    上澄水
Ｃ    沈殿汚泥
Ｄ    空気
Ｅ    一次処理水
Ｆ    二次処理水
Ｇ    凝集剤
Ｈ    最終処理水
Ｉ    凝集汚泥
Ｊ    負極室流出水
Ｋ    正極室流出水
Ｌ    処理水
Ｍ    循環液
【図１】
2006081963.tif 000003
【図２】
2006081963.tif 000004
【図３】
2006081963.tif 000005
【図４】
2006081963.tif 000006